(57)【特許請求の範囲】
【請求項１】
区隔壁によって区画形成された複数の収納部を容器内部に有する医療キット用容器であって、少なくとも一つの収納部である消毒液溜用ポット部を形成する区画壁の中間部を折り戻し可能に折り曲げて当該収納部の底面を当該折り曲げ部よりも上方に形成してなる構成を有する医療キット用容器。
【請求項２】
消毒液溜用ポット部の区画壁を折り戻すと、消毒液溜用ポット部の底面が他の収納部の底面よりも下方に突出するように構成してなる請求項１記載の医療キット用容器。
【請求項３】
フィラー入りポリプロピレンから形成されてなる請求項１又は２に記載の医療キット用容器。
【発明の詳細な説明】
【０００１】
【発明の属する技術の分野】
本発明は、注射器、ガーゼ、綿球、ピンセット等の滅菌処理を要する医療器具を収納し滅菌密封しておくための医療キット用容器であって、特に消毒液溜用ポット部を形成するのに適した構成の医療キット用容器に関する。
【０００２】
【従来の技術】
近年の医療現場においては、治療、手術、人工透析等に使用する医療器具、特に注射器、ガーゼ、綿球、ピンセット、止血テープ等の滅菌処理を要する医療器具をプラスチック製袋に詰めて封止し、これを滅菌処理してなる医療キットパックが普及してきている。このような医療キットパックは、開封後すぐに使用することができ、しかも使用後はそのまま廃棄すればよいから滅菌作業及び滅菌装置の簡素化、院内感染の予防、並びに自宅における人工透析（ＣＡＰＤ）等の面からたいへん有効に活用されている。
【０００３】
しかし、このような袋詰めの医療キットパックにあっては、ガーゼや綿球などの軟弱部材を袋に詰める作業が律速段階となって生産効率が上がらず生産コスト上昇の要因となっていたほか、使用者の立場からすると、医療手順に従って医療器具が収納されていないために医療器具を使用する際に袋の中で自分が必要な医療器具を探すか、或いは一旦全てを取り出す必要があり、特に自宅における人工透析（ＣＡＰＤ）者等には不便な面もあった。
【０００４】
そこで最近では、図６及び図７に示すように、プラスチック製容器６１内に複数の収納部６２Ａ、６２Ｂ、６２Ｃ、６２Ｄを区画形成し、これら収納部６２Ａ、６２Ｂ、６２Ｃ、６２Ｄに綿球、ガーゼ、ピンセット等の各種医療器具を整理して収納し、上面を密封し滅菌処理してなる容器詰め医療キットパック６３が普及しつつある。このような容器詰め医療キットパック６３によれば、袋詰めのものに比べて生産効率が高い分だけコスト低減を図ることができ、しかも医療器具が整理された状態で収納されているので使用者にとって大変に使用しやすく、さらには容器６１内に消毒液溜用ポット部６４も併せて形成することができるから、消毒液溜用ポット部６４の使い回しを避けることができ院内感染の予防を一層図ることもできる。
【０００５】
【発明が解決しようとする課題】
ところが、このような容器詰め医療キットパックの場合には、袋詰めのものに比べて嵩張るため運搬や保管スペースの点が課題であった。特に自宅における人工透析（ＣＡＰＤ）者にとっては、一度に大量の医療キットを病院から自宅に持ち帰る必要があるため、この際の運搬や保管スペースの負担は深刻であった。
【０００６】
では単純に容器を小さくすればよいかというと、それだけでは解決できない問題があった。すなわち、消毒液溜用ポット部を形成する場合には、かかるポット部に消毒液を充分に溜められるようにするため、消毒液溜用ポット部にはある程度以上の深さ（２０ｍｍ程度）が要求される。このために容器の深さ（高さ）を単純に浅く形成することはできなかったのである。
【０００７】
そこで本発明は、上記課題に鑑みて、消毒液溜用ポット部を形成する場合であっても、容器全体の深さ（高さ）を浅く（低く）形成することができ、しかもかかる消毒液溜用ポット部に充分な量の消毒液を溜めることができる医療キット用容器を提供せんとするものである。
【０００８】
【課題を解決するための手段】
かかる課題解決のため、本発明は、区隔壁によって区画形成された複数の収納部を容器内部に有する医療キット用容器であって、少なくとも一つの収納部である消毒液溜用ポット部を形成する区画壁の中間部を折り戻し可能に折り曲げて当該収納部の底面を当該折り曲げ部よりも上方に位置させるように医療キット用容器を構成した。
【０００９】
かかる構成を有する医療キット用容器であれば、折り曲げ形成してある区隔壁を使用する際に折り戻して伸延させることにより、この区画壁によって囲まれてなる消毒液溜用ポット部の深さ及び容積を増大させることができるから、使用する際に深さ及び容積を増大させて充分な量の消毒液を溜めることができる。これより、消毒液溜用ポット部を形成する場合であっても、容器の深さを浅く形成することができ、しかも充分な量の消毒液を溜めることができる医療キット用容器を提供することができる。
【００１０】
【発明の実施の形態】
以下、発明の実施の形態を実施例に基づいて説明する。
【００１１】
本例の容器１は、フィラー入りポリプロピレンから形成してあり、図１に示すように、適宜幅を有する鍔部２を長方形状の辺部に沿うように形成すると共に、鍔部２の表面中央部に沿って枠状の凸条部３を形成し、この鍔部２の内側に適宜深さの収納部４を形成し、この収納部４内に、前記鍔部２から一段下方位置に仕切壁５を区画形成して区画室６Ａ，６Ｂ，６Ｃ，６Ｄを設けてある。
【００１２】
これら区画室６Ａ，６Ｂ，６Ｃ，６Ｄはそれぞれ、仕切壁５によって囲まれるか、若しくは仕切壁５及び周囲壁７によって囲まれるように形成されているが、これらの中で「区画室６Ａ」は、図２に示すように、この区画室を囲む仕切壁５Ａ及び周囲壁７Ａ（以下、これらを「区画壁８Ａ」という。）の中間部を上方に折り曲げて区画室６Ａの底面９Ａを当該折り曲げ部１０よりも上方に位置するように形成してある。すなわち、この区画室６Ａは、下面側から見て当該底面９Ａが区画室６Ａ内に凹んだように、言い換えれば区画壁８Ａを折り曲げて撓ませた状態に形成してあり、図２に示すように、底面９Ａを下方に押圧して区画壁８Ａを伸ばす（折り戻す）ことによって区画室６Ａの深さ及び容積を増大させることができるように形成してある。
【００１３】
これより、この容器１は、上記区画室６Ａを消毒液溜用ポット部として使用することにより、容器全体の高さ（深さ）を例えば１０ｍｍ程度に形成したとしても、上述のように使用する際に消毒液溜用ポット部（区画室６Ａ）の深さを２０ｍｍ程度に増大させて充分な量の消毒液を溜めることができる。すなわち、容器の厚みを従来の容器よりも薄く形成することができるから、重ねても嵩張ることはなく、輸送時のコスト低減や医療機関等での保管場所の省スペース化を図ることができる。
【００１４】
なお、容器１の材質は、上記の如くフィラー入りポリプロピレンに限定するものではない。保形性と可撓性乃至柔軟性とを兼ね備えたプラスチック（樹脂）であれば採用可能である。
【００１５】
次に、容器１の使用例を具体的に紹介する。
この容器１は、例えば図３に示すように、区画室６Ａを消毒液溜用ポット部として使用し、その他の区画室６Ｂ，６Ｃ，６Ｄにはそれぞれ滅菌処理を施した医療器具を収納する。たとえば、区画室６Ｂには綿球、区画室６Ｃにはガーゼ、不織布及び止血テープ、区画室６Ｄにはピンセット及び綿棒を詰める。
このように各区画室に医療器具を詰めた状態で、鍔部２に滅菌紙１１を貼着して収納部４を密封する。凸条部３を鍔部２により形成することにより密封を確実に図ることができる。
その後、密封した容器１にガンマ線乃至電子線の照射及びエチレンオキシド処理などの滅菌処理を施せば医療キットパック１２を製造することができる。
【００１６】
かかる密封工程を、医療キットを袋詰めする場合と比較すると、ガーゼや綿球などの軟弱部材を袋に詰める作業などの律速段階となり得る収納作業がないから生産効率を高めることができ、その分生産コストを安く抑えることができる。
【００１７】
この医療キットパック１２は、図４に示すように、滅菌紙１１を剥がしてパックを開封しさえすれば、そこには滅菌処理された医療器具が整理された状態で収納されているから、直ちに必要な医療器具を使用することができ、救急治療等の迅速さを要求される医療処置に対処することも可能であるし、自宅における人工透析（ＣＡＰＤ）など家庭における医療処置にも大変便利である。
また、消毒を行なう際には、区画室６Ａの底面９Ａを下方に押圧して区画壁８Ａを伸ばして当該区画室６Ａの深さを増大させて、この内に充分な量の消毒液を溜めて、区画室６Ｄに収納されているピンセット及び綿棒などを使って消毒を行なうことができる。
【００１８】
そして医療処置が済めば、この医療キットパック１２はそのまま廃棄することができ、医療器具の使い回しを避けることができるから院内感染等の予防を図ることができる。
【００１９】
なお、本発明の医療キット用容器は、上記実施例に限定されるものではなく、例えば図５に示すように、上記区画室６Ａの如く深さ及び容積を増大させることができる区画室を２か所以上（図では区画室６Ａ及び６Ｂ）形成することもできる。また、区画室６Ａの深さ及び容積を増大させる手段としては、上記容器１の如き手段のほか、収納部を形成する区画壁をスライド伸縮可能に形成するとか、伸縮可能な素材で形成するとかなどの手段も採用することができる。
【図面の簡単な説明】
【図１】本発明の医療キット用容器の一実施例を示す斜視図である。
【図２】図１の容器における区画室のＡ−Ａ線拡大断面図である。
【図３】図１の容器に医療器具を収納する際の過程を示した斜視図である。
【図４】図３の医療キットパックの医療処置時の使用例を示した斜視図である。
【図５】本発明の他の実施例を示す斜視図である。
【図６】従来の医療キット用容器を示す斜視図である。
【図７】図６の医療キット用容器の医療処置時の使用例を示した斜視図である。
【符号の説明】
１      容器
２      鍔部
３      凸条部
４      収納部
５      仕切壁
６      区画室
７      周囲壁
８      区画壁
９      底面
１０    折り曲げ部
１１    滅菌紙
１２    医療キットパック
【図１】
0003553401.tif 000002
【図２】
0003553401.tif 000003
【図３】
0003553401.tif 000004
【図４】
0003553401.tif 000005
【図５】
0003553401.tif 000006
【図６】
0003553401.tif 000007
【図７】
0003553401.tif 000008